(57)【特許請求の範囲】
【請求項１】
使用者の歩行を検出して対応する歩行信号を出力する歩行信号出力手段と、前記歩行信号に基づいて前記使用者が歩行中か否かを判定する歩行判定手段と、前記歩行信号を計数する計数手段と、前記計数手段が計数した歩数を表示するための表示手段と、前記表示手段を制御する制御手段とを備え、
前記制御手段は、前記歩行判定手段が前記使用者は歩行中と判定したとき、前記表示手段が歩数表示動作を停止するように制御することを特徴とする歩数計。
【請求項２】
前記制御手段は、前記表示手段が歩数表示動作を停止した状態において、前記歩行判定手段が前記使用者は歩行停止中と判定したとき、前記表示手段が歩数表示動作を行うように制御することを特徴とする請求項１記載の歩数計。
【請求項３】
操作手段を備え、
前記制御手段は、前記表示手段が歩数表示動作を停止した状態において、前記操作手段の操作に応答して前記表示手段が歩数表示動作を行うように制御することを特徴とする請求項１又は２記載の歩数計。
【請求項４】
少なくとも前記表示手段に駆動電力を供給する電池を備え、前記制御手段は、前記電池から前記表示手段への駆動電力供給を制御することによって前記表示手段の歩数表示動作を制御することを特徴とする請求項１乃至３のいずれか一に記載の歩数計。
【請求項５】
強制的に歩数表示を行うように設定する設定手段を備え、前記制御手段は、前記設定手
段によって強制的に歩数表示するように設定されている場合、前記歩行判定手段が前記使用者は歩行中と判定したときでも前記表示手段が歩数表示動作を行うように制御することを特徴とする請求項１乃至４のいずれか一に記載の歩数計。
【発明の詳細な説明】
【技術分野】
【０００１】
本発明は、歩行を検出して歩数を測定する歩数計に関する。
【背景技術】
【０００２】
従来から、使用者の腰等に装着して使用し、あるいは携帯バッグに収納し所持した状態で使用し、前記使用者の歩行をセンサによって検出して歩数を測定するようにした歩数計が利用されている。
通常、歩行時には歩数計の表示をあまり見ないことから、歩数計筐体の蓋を閉めた状態を検出して、あるいは、衣服に歩数計を装着した状態を検出して表示動作を消灯し、省電力化を行う提案がなされていた（例えば特許文献１、２参照）。
【０００３】
しかしながら、歩数計筐体の蓋の開閉を変出するためのスイッチや、衣服に装着したことを検出するスイッチ等が必要なため、専用のハードウェアの増加によってコストアップとなったり、小型化が困難になるという問題があった。また、スイッチの状態検出のための制御などが必要になるため、構成が複雑になるという問題があった。
【０００４】
【特許文献１】特開昭５７−４８１７６号公報
【特許文献２】特開２００７−３０７２１８号公報
【発明の開示】
【発明が解決しようとする課題】
【０００５】
本発明は、ハードウェアを追加することなく、歩数表示動作を制御することによって省電力化を図ることを課題としている。
【課題を解決するための手段】
【０００６】
本発明によれば、使用者の歩行を検出して対応する歩行信号を出力する歩行信号出力手段と、前記歩行信号に基づいて前記使用者が歩行中か否かを判定する歩行判定手段と、前記歩行信号を計数する計数手段と、前記計数手段が計数した歩数を表示するための表示手段と、前記表示手段を制御する制御手段とを備え、前記制御手段は、前記歩行判定手段が、前記使用者は歩行中と判定したとき、前記表示手段が歩数表示動作を停止するように制御することを特徴とする歩数計が提供される。
制御手段は、歩行判定手段が、使用者は歩行中と判定したとき、表示手段が歩数表示動作を停止するように制御する。
【０００７】
ここで、前記制御手段は、前記表示手段が歩数表示動作を停止した状態において、前記歩行判定手段が、前記使用者は歩行停止中と判定したとき、前記表示手段が歩数表示動作を行うように制御するよう構成してもよい。
また、操作手段を備え、前記制御手段は、前記表示手段が歩数表示動作を停止した状態において、前記操作手段の操作に応答して前記表示手段が歩数表示動作を行うように制御するよう構成してもよい。
【０００８】
また、少なくとも前記表示手段に駆動電力を供給する電池を備え、前記制御手段は、前記電池から前記表示手段への駆動電力供給を制御することによって前記表示手段の歩数表示動作を制御するように構成してもよい。
また、強制的に歩数表示を行うように設定する設定手段を備え、前記制御手段は、前記設定手段によって強制的に歩数表示するように設定されている場合、前記歩行判定手段が前記使用者は歩行中と判定したときでも前記表示手段が歩数表示動作を行うように制御するように構成してもよい。
【発明の効果】
【０００９】
本発明の歩数計によれば、ハードウェアを追加することなく、歩数表示動作を制御することによって省電力化を図ることが可能になる。
【発明を実施するための最良の形態】
【００１０】
以下、本発明の実施の形態に係る歩数計について、図面を参照しながら説明する。尚、各図において、同一部分には同一符号を付している。
図１は、本発明の実施の形態に係る歩数計のブロック図である。
【００１１】
図１において、歩数計は、中央処理装置（ＣＰＵ）１０１、所定周波数の信号を出力する発振回路１０２、発振回路１０２の出力信号を所定分周比で分周して計時用の時計信号を出力する分周回路１０３、外部から操作可能なスイッチによって構成されたキー入力手段１０４、使用者の歩行（走行を含む。）を検出して該歩行に対応する信号（歩行信号）を出力する加速度センサ１０７、加速度センサ１０７からの歩行信号を増幅して出力する増幅回路１０６を備えている。
【００１２】
また、歩数計は、歩数や時刻等を表示する表示部１０８、測定した歩数データや設定情報等を記憶するランダムアクセスメモリ（ＲＡＭ）１１０、ＣＰＵ１０１が実行するプログラムを予め記憶した読み出し専用メモリ（ＲＯＭ）１１１、増幅回路１０６や表示部１０８をはじめとする歩数計の各構成要素に駆動電力を供給する電源としての電池１１２を備えている。
尚、図１の歩数計は、使用者の腰に装着したり、使用者が携帯するバッグ等に収納して使用する携帯型の歩数計の例を示している。
【００１３】
加速度センサ１０７は、歩行センサを構成するセンサで、歩行等の動作に基づいて生じる加速度に対応する加速度信号を歩行信号として出力するように構成されている。
ここで、加速度センサ１０７、増幅回路１０６は歩行信号出力手段を構成している。ＣＰＵ１０１は歩行信号に基づいて歩数を計数する計数手段、歩行信号に基づいて使用者が歩行しているか否かを判定する歩行判定手段、表示部１０８の表示動作を制御する制御手段を構成している。また、キー入力手段１０４は操作手段を構成し、表示部１０８は表示手段を構成している。
【００１４】
図２及び図３は、本実施の形態における歩数測定処理及び歩数表示処理のフローチャートで、ＣＰＵ１０１がＲＯＭ１１１に予め記憶されたプログラムを実行することによって行う処理を示している。
以下、図１〜図３を用いて本実施の形態に係る歩数計の歩数測定処理及び歩数表示処理について説明する。
【００１５】
先ず、使用者は本実施の形態に係る歩数計を、使用者の携帯バッグ内に携帯して歩行を開始する。増幅回路１０６や表示部１０８等は歩数計の各回路要素に電池１１２から駆動電力を供給して動作状態になっている。これにより、加速度センサ１０７は使用者の歩行を検出して、該歩行に対応する歩行信号を増幅回路１０６に出力する。増幅回路１０６は、加速度センサ１０７からの歩行信号を増幅し、ＣＰＵ１０１に出力する。ＣＰＵ１０１は、加速度センサ１０７からの歩行信号に基づいて歩数測定を行う。
【００１６】
ＣＰＵ１０１は、増幅回路１０６から歩数入力がなされたか（即ち、歩行信号が入力されたか）否かを判断する（ステップＳ２０１）。
ＣＰＵ１０１は、歩行信号が入力されたと判断した場合には、歩行停止タイマをオンにして計時動作を開始した後（ステップＳ２０２）、歩行中フラグがオンか否か判断する（ステップＳ２０３）。
【００１７】
ＣＰＵ１０１は、処理ステップＳ２０３において歩行中フラグがオン（即ち、歩行中である）と判断すると、現在の歩数に歩行判定バッファ（図示せず）に記憶している歩数を加算し（ステップＳ２０４）、前記歩行判定バッファをクリアした後（ステップＳ２０５）、処理ステップＳ２０４において算出した歩数に、今回生じた１歩分の歩数を加算して現在までの累積歩数を計数する（ステップＳ２０６）。
【００１８】
次にＣＰＵ１０１は、電池１１２から表示部１０８への駆動電力供給を停止することにより、表示部１０８を消灯させて、表示部１０８の歩数表示動作を停止するように制御する（表示オフ）（ステップＳ２０７）。歩行状態では歩数計を見て歩数確認を行うことは少ないため、表示を消灯することによる弊害は殆ど無い。特に、腰に装着して使用するタイプの歩数計や、携帯バッグ等に収納した状態で携帯して使用するタイプの歩数計の場合にはその傾向が著しい。その一方、表示を消灯することによって省電力化を図り得るという効果がある。
その後ＣＰＵ１０１は、その他に実行中の処理があれば当該処理を行う（ステップＳ２０８）。
【００１９】
一方、ＣＰＵ１０１は、処理ステップＳ２０３において、歩行中フラグがオンではないと判断した場合は、歩行停止中であり、電池１１２から表示部１０８への駆動電力供給を行うことにより、表示部１０８を点灯させて、表示部１０８が歩数表示動作を行うように制御する（表示オン）（ステップＳ２０９）。これにより、使用者は歩行停止状態で表示部１０８に表示された歩数を容易に確認することができる。
【００２０】
次にＣＰＵ１０１は、前記歩行判定バッファの歩数に１加算する（ステップＳ２１０）。次にＣＰＵ１０１は、歩行中か否かを判定して（ステップＳ２１１）、歩行中ではないと判定した場合には処理ステップＳ２０１に戻り、歩行中と判定した場合には歩行中フラグをオンにした後（ステップＳ２１２）、その他の処理があればそれを行った後に処理ステップＳ２０１に戻る（ステップＳ２１３）。
尚、処理ステップＳ２１１の歩行か否かの判定は種々の条件設定が可能であり、例えば、歩行信号が所定回数連続して検出できた場合に歩行中と判定するようにしてもよい。この場合、歩行中と判定されるまでの歩数が前記歩行判定バッファに蓄積されることになる。
【００２１】
次に、歩行停止したと判定した場合の処理を説明する。図３において、歩行停止タイマ（図２の処理ステップＳ２０２参照）が予め定めた所定時間計時してカウントアップすると（ステップＳ３０１）、ＣＰＵ１０１は歩行停止したと判定し、歩行中フラグをオフにした後（ステップＳ３０２）、前記歩行判定バッファに記憶した歩数をクリアして（ステップＳ３０３）、その他に実行する処理があればその他の処理を実行する（ステップＳ３０４）。
【００２２】
次に、表示部１０８が表示動作停止状態（消灯状態）から、表示動作を開始させる場合の処理について説明する。
図４は、キー入力手段１０４の操作によって強制的に、表示動作停止状態から表示動作状態に移行させる際の処理を示している。
【００２３】
図４において、ＣＰＵ１０１は、表示動作停止状態においてキー入力手段１０４によるキー入力操作が行われたことを検出すると（ステップＳ４０１）、電池１１２から表示部１０８に駆動電力を供給して、強制的に表示部１０８が表示動作を行うように制御する（表示オン）（ステップＳ４０２）。表示部１０８は、前記制御によって現在の累積歩数を表示する。これにより、使用者は、歩数を確認したいときにはいつでも表示部１０８に歩数を表示させて確認することが可能になる。
【００２４】
その後、ＣＰＵ１０１は、その他の処理があれば、その処理を行う（ステップＳ４０３）。
尚、キー入力手段１０４の操作によって強制的に表示動作させる場合、キー入力手段１０４の特定のキーを操作した場合に表示動作させるようにしてもよく、あるいは、キー入力手段１０４のどのキーを操作しても表示動作させるようにしてもよい。
【００２５】
図５及び図６は、予め強制的に表示動作を行うか否かを設定できるように構成しておき、強制的に表示動作を行うように設定されている場合には表示動作停止状態から表示動作状態に移行させるように処理する例である。
図５において、ＣＰＵ１０１は、処理ステップＳ２０１〜Ｓ２０６までの処理を前記の如くして行った後、後述する表示強制フラグを参照して、歩行中でも強制的に歩数表示動作を行うか否かの設定（表示強制設定；表示強制フラグがオンの状態である。）がなされているか否かを判定する（ステップＳ５０１）。
【００２６】
ＣＰＵ１０１は、処理ステップＳ５０１において、強制的に歩数表示動作を行う旨の設定がなされている場合には表示部１０８が歩数表示動作を行うように制御し（表示オン）（ステップＳ５０２）、前記設定がなされていない場合（表示強制フラグがオフ）には表示部１０８が歩数表示動作を行わないように制御する（表示オフ）（ステップＳ２０７）。これにより、表示部１０８に自動で歩数表示させることが可能になる。
その他の処理は図２と同様である。
【００２７】
図６は、前記表示強制設定の処理を示すフローチャートである。
使用者は、表示強制設定を行う場合、キー入力手段１０４を操作して表示強制設定を行う。ここで、キー入力手段１０４は設定手段を構成する。
図６において、ＣＰＵ１０１は、キー入力手段１０４から表示強制設定を行う旨の入力がなされたか否かを判定し（ステップＳ６０１）、表示強制設定がなされたと判定した場合には表示強制フラグをオンに設定し（ステップＳ６０２）、表示強制設定がなされていないと判定した場合には表示強制フラグをオフに設定した後（ステップＳ６０４）、その他の処理があれば当該その他の処理を実行する（ステップＳ６０３）。
【００２８】
以上述べたように、本実施の形態に係る歩数計によれば、加速度センサ１０７は増幅回路１０６を介して、使用者の歩行を検出して対応する歩行信号をＣＰＵ１０１に出力する。ＣＰＵ１０１は前記歩行信号を計数し表示部１０８に累積歩数を表示する。ＣＰＵ１０１は、前記歩行信号に基づいて前記使用者が歩行中と判定したとき、電池１１２から表示部１０８への駆動電力を停止して、表示部１０８の歩数表示動作を停止するように制御する。
【００２９】
最近の歩数計では、歩行中か否かを判定する歩行判定手段を設け、歩行中と判定された場合に歩数表示を始めるのが一般的になってきており、この歩行と判定された場合に、歩数表示を停止することにより、余分なハードウェアを追加することなく省電力化を図ることが可能になる。
また、歩数表示動作の制御においても、もともと備えていた歩行判定手段の信号を使用することから、より少ない制御で省電力化が行えるという効果がある。
【００３０】
尚、前記実施の形態では、少なくとも歩行センサを腰に装着して使用する腰歩数計、少なくとも歩行センサを携帯カバンに収納し所持して使用する歩数計等、各種の歩数計に利用可能である。
【産業上の利用可能性】
【００３１】
腰に装着する腰歩数計、携帯カバンに収納し所持して使用する歩数計等にも利用可能である。
【図面の簡単な説明】
【００３２】
【図１】本発明の実施の形態に係る歩数計のブロック図である。
【図２】本発明の実施の形態に係る歩数計の処理を示すフローチャートである。
【図３】本発明の実施の形態に係る歩数計の処理を示すフローチャートである。
【図４】本発明の実施の形態に係る歩数計の処理を示すフローチャートである。
【図５】本発明の実施の形態に係る歩数計の処理を示すフローチャートである。
【図６】本発明の実施の形態に係る歩数計の処理を示すフローチャートである。
【符号の説明】
【００３３】
１０１・・・ＣＰＵ
１０２・・・発振回路
１０３・・・分周回路
１０４・・・キー入力手段
１０６・・・増幅回路
１０７・・・加速度センサ
１０８・・・表示部
１１０・・・ＲＡＭ
１１１・・・ＲＯＭ
１１２・・・電池
【図１】
0005042111.tif 000002
【図２】
0005042111.tif 000003
【図３】
0005042111.tif 000004
【図４】
0005042111.tif 000005
【図５】
0005042111.tif 000006
【図６】
0005042111.tif 000007